(57)【要約】  本発明は、前記滅菌プロセスが、気体型ろ過手段の中を通るように熱い空気および所定量の過酸化水素蒸気を含む気体混合物を流通させるものである、施用ステップであって、前記所定量の過酸化水素蒸気が、連続する２回の注入の間に所与の時間間隔（ｔ）を空けて、所与の用量の液体状態の過酸化水素を熱い空気に逐次注入することによって得られる、施用ステップと、前記施用ステップ中に前記ろ過手段に蓄積された過酸化水素のすべてまたは一部を蒸発により排除するために、前記時間間隔（ｔ）の最中に、前記ろ過手段の中を通るように熱い空気を流通させるものである、滅菌ステップと、を少なくとも含むことを特徴とする、気体型ろ過手段を滅菌するための方法および装置に関する。
2019506932.tif 000002
【特許請求の範囲】
【請求項１】
気体型ろ過手段を滅菌するための方法であって、前記滅菌方法が、
気体型ろ過手段の中を通るように熱い空気および指定量の過酸化水素蒸気を含む気体混合物を流通させるものである、施用ステップであって、前記指定量の過酸化水素蒸気が、連続する２回の注入の間に所与の時間間隔（ｔ）を空けて、所与の用量の液体状態の過酸化水素を熱い空気に逐次注入することによって得られる、施用ステップと、
前記時間間隔（ｔ）の最中に、前記ろ過手段の中を通るように熱い空気を流通させて、前記施用ステップ中に前記ろ過手段に蓄積された過酸化水素のすべてまたは一部の蒸発により排除するものである、滅菌ステップと、
を少なくとも含むことを特徴とする、気体型ろ過手段を滅菌するための方法。
【請求項２】
施用ステップ中に使用される前記気体混合物を得るように、前記所与の用量の液体状態の過酸化水素を蒸発手段の中で気化させるものである、気化ステップ
を少なくとも含むことを特徴とする、請求項１に記載の滅菌方法。
【請求項３】
連続する２回の注入の間に前記所与の時間間隔（ｔ）を空けて、前記所与の用量の液体状態の過酸化水素を熱い空気の連続流に逐次注入し、前記気体混合物を得るように全用量を前記蒸発手段に導入するものである、注入ステップ
を少なくとも含むことを特徴とする、請求項２に記載の滅菌方法。
【請求項４】
前記所与の過酸化水素用量を注入するためのステップが、前記所与の用量の液体状態の過酸化水素の連続する２回の注入の間で、所与の期間の時間中の開放位置にあるときと、所与の時間間隔（ｔ）中の閉鎖位置にあるときとのそれぞれにおいて、調整手段を選択的に制御することによって逐次実施されることを特徴とする、請求項３に記載の滅菌方法。
【請求項５】
前記施用ステップおよび滅菌ステップを含む一連の操作が「ｎ」回の回数繰り返される少なくとも１つのサイクルを実施するものであることを特徴とする、請求項１から４のいずれか一項に記載の滅菌方法。
【請求項６】
過酸化水素を確実に蒸発させるための時間間隔（ｔ）に基づいて指定された期間（Ｄ）にわたって、前記ろ過手段の中を通るように熱い空気のみを流通させるものである、追加の滅菌ステップ
を少なくとも含むことを特徴とする、請求項５に記載の滅菌方法。
【請求項７】
指定された目標温度（Ｔｃ）で熱い空気を送達できる空気加熱手段（３６）を少なくとも備える第１の回路（Ｃ１）と、
過酸化水素を選択的に注入するように制御された調整手段（７４）を少なくとも備える第２の回路（Ｃ２）と、
熱い空気および過酸化水素蒸気からなる気体混合物を調製するための少なくとも１個のエバポレータ（４６）と、
を少なくとも備えることを特徴とする、気体型ろ過手段を滅菌するための装置（１０）。
【請求項８】
第２の回路（Ｃ２）が、液体状態の過酸化水素が充填されるように意図された指定容量を有する、少なくとも１個の貯蔵器（７６）を備えることを特徴とする、請求項７に記載の滅菌装置。
【請求項９】
エバポレータ（４６）を、前記ろ過手段（１２）を備えるパイプ（１６）に選択的に接続する少なくとも１個のパイプ（６０）を備えることを特徴とする、請求項７または８のいずれか一項に記載の滅菌装置（１０）。
【請求項１０】
少なくとも１つの開放位置と１つの閉鎖位置との間で、第１の回路（Ｃ１）および／または第２の回路（Ｃ２）の調整手段を選択的に制御するための制御ユニットを備えることを特徴とする、請求項７から９のいずれか一項に記載の滅菌装置（１０）。
【発明の詳細な説明】
【技術分野】
【０００１】
本発明は、気体型ろ過手段、特に吹込み空気を滅菌するための方法および装置に関する。
【０００２】
より特定すると、本発明は、気体型ろ過手段を滅菌するための方法および前記滅菌方法によって気体型ろ過手段を滅菌するための装置に関する。
【背景技術】
【０００３】
数多くの種類の気体型ろ過手段、最も特定すると空気型ろ過手段の技術水準は、公知である。
【０００４】
このような気体型ろ過手段は特に、熱可塑性材料製の容器を製造するための設備内において、吹込み空気をろ過するために使用されているが、熱可塑性材料製の容器の製造は、熱いプリフォームの型の中で、少なくとも１種の加圧された流体によるブロー成形（または延伸ブロー成形）によって達成される。
【０００５】
ボトル、フラスコまたはジャー等の容器は一般に、射出成形によってＰＥＴ（ポリエチレンテレフタレート）等の熱可塑性材料から事前に製造され、その後、成形が可能な熱いプリフォームを得るように熱的コンディショニングされる、プリフォームから得られる。
【０００６】
このようにしてプリフォームから容器を得るために、設備は、前記熱いプリフォームからの容器の成形のための成形機（または「ブロワー」）と組み合わせられた、プリフォームの熱的コンディショニングのための少なくとも１個の炉を備える。有利には、設備は、いわゆる「無菌の」容器を得るような方法で、プリフォームの少なくとも内側を滅菌するための滅菌ユニットをさらに備える。
【０００７】
熱いプリフォームをブロー成形または延伸ブロー成形することによって成形を実施するためには、ブロー成形の場合、用途に応じて３０ｂａｒまたは４０ｂａｒの値に到達し得る圧力で圧縮される少なくとも１種の流体、一般に空気等の気体を使用することが、公知である。
【０００８】
ブロー成形のために使用される空気は、型の中に配置された熱いプリフォームの開口部（ネック部）を介して、吹込み空気が容器の内面と直接接触するような方法で導入される。
【０００９】
しかしながら、内面自体は、後で容器の内容物と接触した状態になるように設計されている。
【００１０】
したがって、吹込み空気の品質、より特定すると、微生物等の汚染物質、ダスト等の粒子が存在しないことは、食品包装の場合において、包装された製品の良好な保存、特に保存期間および消費者の安全性を確保できるように考慮すべき、重要なパラメータである。
【００１１】
しかしながら、ブロー成形のために使用される圧縮空気の品質は、工業用地の環境および汚染源に対する工業用地の場所に応じて変化する吸入された大気の品質から、流通網および／または設備の状態までにわたる、１組の因子によって判定される。
【００１２】
少なくとも１個の圧縮機によって吸入および圧縮された大気は、例えば、多少大きな湿度測定値を有し、この場合、湿気が腐食および微生物の成長を促進する。
【００１３】
特に圧縮機の潤滑手段の設計を理由として、例えば潤滑油またはＴｅｆｌｏｎダストによって、化学物質による空気の汚染を起こす可能性がある圧縮機の選択にも特段の注意が払われる。
【００１４】
これは、ブロー成形のために使用されるように意図された圧縮空気が事前に処理される理由であり、最も特定すると、「無菌の」吹込み空気、すなわち、特に微生物を不含の吹込み空気を得るように気体型ろ過手段によってろ過される理由である。
【００１５】
ブロー成形のために使用される圧縮空気は一般に、様々な気体型ろ過手段を備えるろ過システムによって順次ろ過される。
【００１６】
非限定的な様式において、このようなブロー成形用に意図された空気型ろ過システムは例えば、直列に配置されたており、出力部において無菌の空気を送り出すように意図された、複数のろ過手段を備える。
【００１７】
これらの複数のろ過手段において、空気は例えば、特に脱油、水精製およびダストの排除を達成するための第１の「ＦＦＰ」型ろ過手段、次いで、やはり、においおよび味への悪影響を起こし得る油および気体状の炭化水素蒸気のすべてを除去するための（活性炭を用いる）第２の「ＡＫ」型ろ過手段、最後に、微生物を保持するための第３の「ＳＲＦ」型ろ過手段によって順次ろ過される。
【００１８】
実際には、吹込み空気は、汚染物質、最も特定すると微生物（ウイルス、病原菌、芽胞等）をろ過手段の内部に導入することによって、プリフォームの内側の汚染、したがって、容器の内側の汚染の媒介物になる可能性がある。
【００１９】
容器の製造法において、熱いプリフォームのブロー成形または延伸ブロー成形によって得られた成形の直後に容器の充填が無菌環境中で実施される場合、ブロー成形のために使用される圧縮空気の品質を制御することは、さらにいっそう重要である。
【００２０】
実際には、このような製造法において、滅菌は一般に、プリフォームを容器に変形させる前に、プリフォームから製造された容器の汚染の危険性等、滅菌済みプリフォームの汚染の危険性をなくすことが後で必須になるような方法で、上流側においてプリフォームに実施される。
【００２１】
本発明の目的は、気体型ろ過手段を滅菌することであり、排他的ではないが特に、例えば無菌の容器の製造のためのブロー成形用に意図された圧縮空気から微生物を排除するために使用される「ＳＲＦ」型ろ過手段等の吹込み空気型ろ過手段を滅菌することである。
【００２２】
このような気体型ろ過手段を、特定の使用後の滅菌と全く同じようにして最初の使用前に滅菌するための解決法が、求められている。
【００２３】
ろ過手段の滅菌は、ろ過手段における微生物の成長を防止し、この結果、このような微生物が使用中に前記ろ過手段から下流側に移動する危険性を排除するように、特に前記ろ過手段の使用に起因して存在する微生物の殺滅を可能にすることである。
【００２４】
食品製品の包装のために設計された容器の製造の場合等、工業用途の場合、品質、最も特定すると、このような気体型ろ過手段を使用してろ過された吹込み空気の無菌状態を確保できることが重要である。
【００２５】
このような滅菌の場合、経済的な理由のため、ろ過手段の変更頻度を低減することも求められている。
【００２６】
気体型ろ過手段（またはフィルター）を滅菌するという目的で、特に低圧で空気をろ過するように設計されたフィルターを滅菌するための水蒸気を使用することが、技術水準から公知である。
【００２７】
しかしながら、このような水蒸気による滅菌は、上述のＦＦＰ型フィルター等の高圧で動作するために設置されたフィルター等、吹込み空気のろ過用に意図された気体型ろ過手段を滅菌するためにも使用されてきた。
【００２８】
このとき、滅菌は一般に、食品用の品質の水蒸気、すなわち、非常に低い含水量および不純物が存在しないことを特徴とする蒸気によって実施される。
【００２９】
しかしながら、熱可塑性材料製の容器を製造するための設備において、吹込み空気をろ過するために使用されたろ過手段を上述のように水蒸気によって滅菌することは、下述の詳細に提示されている理由のため、満足ではなかった。
【００３０】
最初に、滅菌中に使用された水蒸気の品質が様々であることに気づくことが可能であった。一般に不十分な品質であり、時折、可もなく不可もない程度の品質である、水蒸気の品質は大抵の場合、容器を製造するための設備が同じであっても、工業用地ごとに不均一であることが判明している。
【００３１】
このとき、良質の水蒸気を用いた場合でさえ、達成されるろ過手段の滅菌は満足ではない。
【００３２】
したがって、前述の条件下においてろ過の品質を保つという目的で、ろ過手段の滅菌頻度の増大およびろ過手段の耐用寿命の顕著な短縮に気づくことは、珍しいことではない。
【００３３】
しかしながら、（ろ過手段の変更のような）ろ過手段の滅菌は、使用の中断を必要とし、または本発明者らの使用の例においては、容器の製造の休止を必要とし、これは、経済的な観点において特に有害である。
【００３４】
研究により、このような蒸気による滅菌操作の後に、ろ過手段中における過剰な水の存在に気づくことを可能にした。
【００３５】
水蒸気の使用によって誘起される１２０℃より高い温度がろ過手段を損傷させ、このとき、将来の使用に関するろ過手段のろ過特性を劣化させることも、確証することができた。
【００３６】
滅菌のために使用される水蒸気の品質が均一性を欠いていることに加えて、特に、このようにして滅菌されたろ過手段中に生じた水の凝縮物の集積に気づくことが可能であったが、これらの凝縮物は、ろ過手段に捕捉された状態のままであり、排除が特に困難であることが判明している。
【００３７】
水蒸気による滅菌において、周囲温度で圧縮された空気を使用して、ろ過手段を乾燥させるように水を排除する。このような乾燥は、実用の流量が、例えば、概ね２，０００〜３，０００ｍ３／ｈであるため、大量の空気を必要とする。
【００３８】
ろ過手段の構造の悪化を起こすおそれがあるため、乾燥のために使用される空気圧は、特定の圧力値、例えば４ｂａｒを超えるべきではない。
【００３９】
実際には、ろ過手段中の水の存在は、乾燥処理用の空気によるろ過手段の通過を妨害し、水は、ろ過手段の閉塞によって、ろ過手段の圧力降下を変化させる。
【００４０】
最後に、乾燥処理用の空気は、気体型ろ過手段が疎水性であるにもかかわらず、ろ過手段の中を通るように力をかけて凝縮物を押し進める傾向がある。
【００４１】
したがって、水蒸気による滅菌は、ろ過手段の破壊に至り得るろ過手段の劣化を起こし、このろ過手段の破壊は、全く予測できない性質をもさらに示す。
【００４２】
前述の事項からは、このようにして水蒸気によって滅菌された吹込み空気のろ過手段の性能が劣化し、ろ過手段の耐用寿命が大幅に短縮されるという結果になる。
【００４３】
さらに、ろ過手段の水蒸気による滅菌後の水の凝縮物の不完全な排除は、後でろ過手段の使用を再開するときに、特に有害であると判明することもある。
【００４４】
実際には、次いで、（水が過剰であり、過剰な水の排除も困難であるという理由で）ろ過手段中に依然として存在する水の凝縮物は、吹込み空気等の気体によって下流側に押し進められる。
【００４５】
容器を製造するための設備の場合、高圧下の吹込み空気は、水の残留物をろ過手段から下流側に押し進め、すなわち、ブロー成形回路に入るように押し進め、次いで、製造される容器自体に入るように押し進め、この結果として、ブロー成形回路を濡らし、主として、製造された容器の内部に湿気を導入する。
【００４６】
しかしながら、製造された容器の内部における湿気の存在は、微生物による汚染の危険性を増大させる。
【００４７】
さらに、上述の蒸気の使用以外のフィルターを滅菌するための動作モードも存在する。この動作モードは、化学的な手段、すなわち、特にフィルターを滅菌するための過酸化水素の使用による滅菌である。
【００４８】
文献欧州特許第０８１５９１９号明細書、米国特許出願公開第２００９／１６９４２１号明細書、欧州特許第０２４３０７３号明細書は、液体状態または気体状態の過酸化水素フィルターを１回含浸させ、熱い空気によって過酸化水素を活性化させることによる、化学的な手段に基づいた滅菌を記述している。
【先行技術文献】
【特許文献】
【００４９】
【特許文献１】欧州特許第０８１５９１９号明細書
【特許文献２】米国特許出願公開第２００９／１６９４２１号明細書
【特許文献３】欧州特許第０２４３０７３号明細書
【発明の概要】
【発明が解決しようとする課題】
【００５０】
本発明の目的は特に、上述の欠点を解決することであり、最も特定すると、熱可塑性材料製の容器を製造するための設備内で使用される吹込み空気をろ過するための手段等の気体型ろ過手段を滅菌するための新たな手法を提案することである。
【課題を解決するための手段】
【００５１】
この目的のために、本発明は、前記滅菌方法が、
気体型ろ過手段の中を通るように熱い空気および指定量の過酸化水素蒸気を含む気体混合物を流通させるものである、施用ステップであって、前記指定量の過酸化水素蒸気が、連続する２回の注入の間に所与の時間間隔（ｔ）を空けて、所与の用量の液体状態の過酸化水素を熱い空気に逐次注入することによって得られる、施用ステップと、
前記時間間隔（ｔ）の最中に、前記ろ過手段の中を通るように熱い空気を流通させて、前記施用ステップ中に前記ろ過手段に蓄積された過酸化水素のすべてまたは一部を蒸発により排除するものである、滅菌ステップと、
を少なくとも含むこと特徴とする、気体型ろ過手段を滅菌するための方法を提案する。
【００５２】
有利には、本発明による滅菌方法は、ろ過手段のろ過性能を維持し、ろ過手段の耐用寿命を延長し、最低でも耐用寿命を保つような方法でろ過手段の完全性を保ちながら、効果的に気体型ろ過手段の効果的な滅菌を可能にする。
【００５３】
実際には、ろ過手段の構造の劣化の危険性、さらには破壊の危険性が、本発明による化学的な滅菌によって排除される。
【００５４】
水蒸気による滅菌との比較によれば、本発明は、過酸化水素凝縮物が熱い空気による加熱によって順次排除されるため、大量の空気を必要としない。
【００５５】
本発明による滅菌は、水蒸気による滅菌のための方法における乾燥のために使用された空気に比べて、または技術水準によれば連続的である注入された過酸化水素の蒸発のために使用される空気に比べて１００分の１未満である熱い空気の流量を有する空気中であるので、より経済的である。
【００５６】
有利には、混合物を滅菌することは、熱い空気と蒸気との気体混合物がろ過手段と接触したときに凝縮によってろ過手段に蓄積された、指定用量の蒸気状態の過酸化水素を含む。
【００５７】
有利には、次いで、過酸化水素凝縮物は、熱い空気による加熱による蒸発によって徐々に排除されるが、前記蒸発は少なくとも、連続する２種の用量の液体状過酸化水素の注入の間に実施される。
【００５８】
重要な一特徴によれば、本発明による滅菌方法が本質的に「化学的」な方法であることを十分に理解すべきである。
【００５９】
実際に、水蒸気による滅菌との比較によれば、滅菌効果は、水蒸気による熱の供給によって、ろ過手段中に存在する微生物が熱により殺滅されることに起因しない（またはこの熱による殺滅のみに起因しない）。
【００６０】
本発明において、熱い空気には、２つの目的があり、すなわち、ろ過手段において凝縮した過酸化水素を熱活性化するという目的と、熱い空気の施用期間に応じて、ろ過手段から過酸化水素の少なくとも一部を蒸発により排除するという目的を有する。
【００６１】
熱い空気は最初に、過酸化水素凝縮物中に存在する水の蒸発によって緩やかに排除されるが、この排除は、過酸化水素の濃度を徐々に上昇させ、したがって、過酸化水素の滅菌効果を増大させる効果を及ぼす。
【００６２】
過酸化水素（Ｈ２Ｏ２）によって形成された滅菌剤の場合、熱活性化は、熱い空気が過酸化水素に作用して、過酸化水素の化学結合を切断し、これにより、微生物の殺滅を起こし、所望の度合いの滅菌を達成することができる、活性なフリーラジカル（ＯＨ）が出現することを指す。
【００６３】
本発明によるろ過手段の滅菌のために使用される滅菌剤は有利には、特に食品分野においてその殺菌特性で知られる、過酸化水素（Ｈ２Ｏ２）である。
【００６４】
過酸化水素が、容器を製造するための設備においても、熱可塑性材料から製造されたプリフォームの少なくとも内側を滅菌するために使用される場合、過酸化水素の供給源は例えば、一方に吹込み空気のろ過手段を滅菌するための装置を有し、他方にプリフォームを有する、一般的な供給源であり得る。
【００６５】
有利には、本発明によるろ過手段を滅菌するための方法は、前記指定用量から得られた過酸化水素蒸気を含む気体混合物を施用するための少なくとも１つのステップと、熱い空気を使用する滅菌ステップとを交代で含み、すなわち、交互に含む。
【００６６】
前記施用ステップおよび滅菌ステップはそれぞれ、滅菌サイクルの実施を目的として有利には「ｎ」回の回数繰り返される一連の操作を構成しており、ここで、過酸化水素凝縮物の蒸発は、指定用量の過酸化水素の連続する２回の注入の間に、少なくとも所与の時間間隔にわたって実施される。
【００６７】
前記一連の操作を「ｎ」回繰り返した後、サイクルが終了したときに、滅菌方法は有利には、前記所与の時間間隔の最中と同様に、前記ろ過手段の中を通るように熱い空気のみを流通させて、蒸発による過酸化水素の排除を必要に応じて達成するものである、追加の滅菌ステップを含む。
【００６８】
追加の滅菌ステップは、特に前記時間間隔の値に基づいて指定された期間の最中に実施されるが、前記ステップは、前記時間間隔が、各指定用量の注入後に蓄積された過酸化水素凝縮物の完全な蒸発を確実にするために十分である場合、省略されることが可能である。
【００６９】
過酸化水素の逐次注入、すなわち、蒸気の指定量のうちのある割合を施用する前記ステップと、次いで滅菌のために熱い空気を施用する前記ステップとを交互に繰り返すことは有利には、ろ過手段を飽和させないことを可能にし、特に、あらゆる閉塞を防止することを可能にする。
【００７０】
所与の用量の過酸化水素が逐次注入されるため、最小限の量の過酸化水素が蓄積されるが、この過酸化水素は後で、前記所与の時間間隔の最中に、熱い空気によって完全にまたは少なくとも部分的に排除されることが可能であり、この排除は、新たな所与の用量を注入することによってなされる新たな施用の開始前に行われる。
【００７１】
有利には、逐次注入は、ろ過するための手段を滅菌するに必要なエネルギーの量の低減を可能にし、特に温度効果に起因した劣化からろ過するための手段を保護することを可能にする。
【００７２】
過酸化水素のすべての蒸発を蒸発させるために必要な熱い空気の総量（したがって、エネルギーの総量）は、前記過酸化水素が断続的に施用された場合、用量の合計に相当する量が１回で施用された場合、より少ない。
【００７３】
有利には、指定用量の当量を蒸発させるために必要な熱い空気の温度も同様に、この熱い空気の温度がより低く、そのため、水蒸気との比較によって事前に観察された劣化等の劣化からろ過するための手段の保護に関与する。
【００７４】
蒸発の後、気体状態の過酸化水素は自由に、ろ過手段を完全に通過し、内側に向かって奥深く浸透することができるが、水蒸気凝縮物の場合と同様に、ろ過手段の構造を決して変更することがない。
【００７５】
ある等しい量の過酸化水素蒸気に関して、ろ過手段によって達成される滅菌は、同等の量の過酸化水素蒸気を１回放出する場合に比べて、前記施用ステップおよび滅菌ステップからできた一連の操作を「ｎ」回順次実施することによって、より良好に達成される。
【００７６】
本発明による滅菌方法の他の特徴によれば、
本方法は、施用ステップ中に使用される前記気体混合物を得るように、蒸発手段中にある前記所与の用量の液体状態の過酸化水素を気化させるものである、少なくとも１つの気化ステップを含み、
本方法は、連続する２回の注入の間に前記所与の時間間隔を空けて、前記所与の用量の液体状態の過酸化水素を熱い空気の連続流に逐次注入し、前記気体混合物を得るように全用量を前記蒸発手段に導入するものである、少なくとも１つの注入ステップを含み、
前記所与の用量の過酸化水素を注入するためのステップは、前記所与の用量の液体状態の過酸化水素の連続する２回の注入の間で、所与の時間経過の最中において開放位置にあるときと、所与の時間間隔の最中において閉鎖位置にあるときとのそれぞれにおいて、調整手段を選択的に制御することによって逐次実施され、
滅菌方法は、前記施用ステップおよび滅菌ステップを含む一連の操作が「ｎ」回の回数繰り返される少なくとも１つのサイクルを実施するものであり、
本方法は、過酸化水素を確実に蒸発させるための時間間隔に基づいて決定された期間にわたって、前記ろ過手段の中を通るように熱い空気のみを流通させるものである、少なくとも１つの追加の滅菌ステップを含む。
【００７７】
本発明は、指定された目標温度で熱い空気を送達できる空気加熱手段を少なくとも備える第１の回路と、過酸化水素を選択的に注入するように制御された調整手段を少なくとも備える第２の回路と、熱い空気および過酸化水素蒸気からなる気体混合物を調製するための少なくとも１個のエバポレータと、を少なくとも備える、滅菌装置も提案する。
【００７８】
本発明による滅菌装置の他の特徴によれば：
第２の回路は、液体状態の過酸化水素を充填されるように設計された指定容量を有する、少なくとも１個の貯蔵器を備え、
本装置は、前記ろ過手段を備えるパイプにエバポレータを選択的に接続する少なくとも１個のパイプを備え、
本装置は、少なくとも１つの開放位置と１つの閉鎖位置との間で、第１の回路および／または第２の回路の調整手段を選択的に制御するための制御ユニットを備える。
【００７９】
本発明に関する他の特徴および利点は、下述の説明を読めば明確になる。下述の説明を理解するという目的で、当該設備にある気体型ろ過手段を滅菌するために容器製造用設備に統合されるように設計された滅菌装置の一実施形態を図示する、単一の図面が参照される。
【図面の簡単な説明】
【００８０】
【図１】気体型ろ過手段１２を滅菌するための滅菌装置１０の一実施形態を示す空気回路図（ｐｎｅｕｍａｔｉｃ  ｄｉａｇｒａｍ）が示されている図である。
【発明を実施するための形態】
【００８１】
本実施形態において、前記気体型ろ過手段１２は、吹込み空気型ろ過手段からなる。
【００８２】
ろ過手段１２は、熱いプリフォームから熱可塑性材料製の容器を製造するための設備（図示なし）の中において、ブロー成形流体として使用できる無菌の空気を送達するための高圧圧縮空気をろ過するように、設計されている。
【００８３】
以下において吹込み空気と呼ばれている、容器を形成するための熱いプリフォームのブロー成形用に使用される高圧圧縮空気は、「無菌の」空気、すなわち、汚染物質を不含の、最も特定すると微生物を不含の空気にすべきである。
【００８４】
一般に、「高圧」は、特定の施用のために２５〜４０ｂａｒに到達し得る、吹込み空気の最終的な圧力と、予備ブロー成形またはブロー成形用に意図されたより低い圧力、例えば７〜２０ｂａｒの間の圧力との両方を指す。
【００８５】
本発明によれば、空気型ろ過手段１２の化学的な滅菌は、前記ろ過手段１２に蓄積された後に、滅菌装置１０によって生成された熱い空気による蒸発によって熱活性化され、排除されることになる、蒸気状態の少なくとも１種の滅菌剤の使用によって開始される。
【００８６】
ろ過手段の滅菌のために使用される滅菌剤は、過酸化水素（Ｈ２Ｏ２）である。
【００８７】
本図面に示された実施形態において、ろ過手段１２は、少なくとも１個のフィルターを備える。
【００８８】
図示なしの一変形形態において、ろ過手段１２は、ブロー成形用に意図された空気をろ過するための１個より多いフィルターを備える。
【００８９】
無菌の空気を送達するために、ろ過手段１２は、例えば、少なくとも１個の「ＳＲＦ」型フィルターからなる。
【００９０】
好ましくは、本図面に示された前記ろ過手段１２は、上述の種類のろ過システムにおいて最後にある複数のろ過手段を形成し、特に、ブロー成形のために空気を使用する前に最終的な空気のろ過を実施することが可能である。
【００９１】
好ましくは、前記複数のろ過システムは、空気を除湿するための手段を備える。
【００９２】
より特定すると、このようなろ過手段１２は、空気から微生物を排除するように意図されており、空気からの微生物の排除を実施するために１つより多いろ過段を含み得る。
【００９３】
図示なしの一変形形態において、ろ過手段１２は、二重のろ過を実施するための、例えば直列の状態である、少なくとも２つのろ過段を備える。ろ過段の数とは無関係に、１つのろ過段は、１個より多いろ過手段（またはフィルター）、例えば平行の状態である２個のフィルターを備えてもよい。
【００９４】
成形機または「ブロワー」（図示なし）のブロー成形回路１４のごく一部のみが、本図面において示されていた。
【００９５】
公知のように、このような成形機は、例えば回転式のものであり、熱いプリフォームから熱可塑性材料製の容器をブロー成形または延伸ブロー成形することによる成形のために複数の設置設備を備え付けられている。
【００９６】
ろ過手段１２は、メーンパイプ１６内に配置されている。パイプ１６は、ろ過手段１２から上流側にある一方の端部が、加圧下で前記圧縮空気を送達し、用途に応じて最大値が決定される、吹込み空気供給源１８に接続されている。
【００９７】
調整手段２０は、パイプ１６内において、前記吹込み空気供給源１８とろ過手段１２との間に配置されており、特に、前記滅菌装置１０による滅菌中に前記ろ過手段１２を隔離することができる。
【００９８】
開放位置においては、調整手段２０は、上流側に配置された吹込み空気供給源１８から始めて、パイプ１６内で上流側から下流側までにわたる空気の流通を可能にし、閉鎖位置においては、調整手段２０は、吹込み空気供給源１８と、下流側に配置されたろ過手段１２との間で、パイプ１６内における前記空気の流通を遮断する。
【００９９】
パイプ１６は、ろ過手段１２から下流側にある他方の端部が、ブロー成形回路１４の少なくとも１個の部品１５に接続されており、部品１５により、前記ろ過手段１２によってろ過された吹込み空気は、前記容器成形機の型と組み合わせられた、少なくとも１個のノズル等のブロー成形手段（図示なし）に向けられる。
【０１００】
調整手段２２は、特に滅菌中におけるブロー成形回路１４の前記部品１５に対して前記ろ過手段１２の隔離を可能にするという目的で、パイプ１６内において、ブロー成形回路１４の前記部品１５とろ過手段１２との間に配置されている。
【０１０１】
好ましくは、調整手段２０および２２は、ソレノイドバルブ等の少なくとも１個のバルブによって形成される。
【０１０２】
調整手段２０および２２は、制御ユニット（図示なし）により、少なくとも１つの開放位置と１つの閉鎖位置との間で選択的に制御される。
【０１０３】
開放位置においては、調整手段２２は、パイプ１６内における上流側から下流側への空気の流通を可能にし、閉鎖位置においては、調整手段２２は、ろ過手段１２と、下流側に配置されたブロー成形回路１４の部品１５との間で、パイプ１６内における前記空気の流通を遮断する。
【０１０４】
有利には、滅菌装置１０は、前記滅菌装置１０がアクティブでないスリープ状態と、ろ過手段１２を滅菌するために使用される滅菌装置１０がアクティブである使用状態との間で、選択的に制御される。
【０１０５】
好ましくは、本実施形態によれば、滅菌装置１０は、熱いプリフォームのブロー成形または延伸ブロー成形によって熱可塑性材料製の容器を製造するための設備を備える。
【０１０６】
有利には、滅菌装置１０は、前記設備が新たなものであるか既存のものであるかにかかわらず、製造設備を備えることができる。
【０１０７】
一変形形態として、滅菌装置１０は、様々な気体型ろ過手段を滅菌できる設備の独立単位を構成する。
【０１０８】
より特定すると、滅菌装置１０は、当該設備にある空気型ろ過手段１２の滅菌を目的としたこのような設備のブロー成形機（またはブロワー）と組み合わせられている。
【０１０９】
ここで、本発明による空気型ろ過手段の滅菌装置１０は特に、プリアンブルにおいて記述されたような技術水準による水蒸気式滅菌装置を置きかえることが可能である。
【０１１０】
好ましくは、滅菌装置１０は、所定位置にある、すなわち、設備によって容器が製造されるときおよびアクティブでない滅菌装置１０がスリープ状態であるときに前記ろ過手段１２が占める使用位置にある吹込み空気型ろ過手段１２を滅菌することができる。
【０１１１】
有利には、介入は、ろ過手段１２に必要とされず、特に、分解および再組立てを開始するための人間の介入は、必要とされない。
【０１１２】
したがって、滅菌は、滅菌装置１０の制御によって自動的に実施することが可能である。
【０１１３】
滅菌装置１０によって、このような吹込み空気型ろ過手段１２の滅菌を実施するために、容器の製造は、事前に中断されているべきである。
【０１１４】
設備の動作モードの変更は最初に、熱いプリフォームから容器が製造可能である容器を製造するための動作モードから、容器の製造が停止する別の動作モード、いわゆる介入モードに切り替えることによって、開始される。
【０１１５】
このとき、特に、滅菌装置１０による吹込み空気型ろ過手段１２の滅菌等の介入が実施可能である。
【０１１６】
吹込み空気型ろ過手段１２の滅菌開始を目的とした設備の動作モードの変更は、スリープ状態から使用状態に切り替える、アクティブ化された滅菌装置１０の状態の変更が伴われる。
【０１１７】
以下において、本図面に例示の実施形態によるろ過手段を滅菌するための装置１０が説明され、装置１０の動作も、後で詳細に説明される。
【０１１８】
本図面において示された実施形態において、滅菌装置１０は、この場合においては過酸化水素（Ｈ２Ｏ２）によって形成された滅菌剤のための第２の回路Ｃ２と結合された、主として空気のための第１の回路Ｃ１を少なくとも備える。
【０１１９】
滅菌装置１０は特に、本発明による気体型ろ過手段を滅菌するための方法の実施のために設計されている。
【０１２０】
滅菌装置１０は特に、熱いプリフォームから熱可塑性材料製の容器を製造するための設備内における、吹込み空気型ろ過手段の滅菌のために使用されるように設計されている。
【０１２１】
本発明によれば、気体型ろ過手段を滅菌するための方法は、
気体型ろ過手段の中を通るように熱い空気および指定量の過酸化水素蒸気を含む気体混合物を流通させるものである、施用ステップであって、前記指定量の過酸化水素蒸気が施用前に、連続する２回の注入の間に所与の時間間隔（ｔ）を空けて、所与の用量の液体状態の過酸化水素を逐次注入することによって得られる、施用ステップと、
前記時間間隔（ｔ）の最中に、前記ろ過手段の中を通るように熱い空気を流通させて、前記施用ステップ中に前記ろ過手段に蓄積された過酸化水素のすべてまたは一部を蒸発により排除するものである、滅菌ステップと、
を少なくとも含む。
【０１２２】
滅菌装置１０の第１の回路Ｃ１は、上流側端部が圧縮空気供給源２６に接続された少なくとも１個のパイプ２４を備える。
【０１２３】
好ましくは、圧縮空気供給源２６は、指定圧力、例えば約７ｂａｒの低圧で空気を送達する、圧縮空気流通網である。
【０１２４】
有利には、第１の回路Ｃ１は、前記供給源２６によって送達された圧縮空気型ろ過手段２８を備える。
【０１２５】
好ましくは、ろ過手段２８は、圧縮空気中に存在する汚染物質を排除することができ、パイプ２４内において、上流側端部が供給源２６に接続された状態で、第１の回路Ｃ１の入力部に配置されている。
【０１２６】
有利には、第１の回路Ｃ１は、一定の流量を確保するためにパイプ２４内で流通する圧縮空気の圧力を調整するような、圧力調整手段３０を備える。
【０１２７】
圧力調整手段３０は、例えば、圧縮空気の動圧を調整するメンブレン型圧力調整装置からなる。
【０１２８】
好ましくは、圧力調整手段３０は、パイプ２４内において、圧縮空気をろ過するための手段２８から下流側に配置されている。
【０１２９】
有利には、第１の回路Ｃ１は、パイプ２４内における空気の流通を調整するための手段３２を備える。好ましくは、調整手段３２は、ソレノイドバルブ等の少なくとも１個のバルブによって形成される。
【０１３０】
調整手段３２は、パイプ２４内において、例えば圧力調整手段３０から下流側に配置されており、パイプ２４内に圧縮空気の流通を選択的に確保するように制御される。
【０１３１】
調整手段３２は、制御ユニット（図示なし）により、少なくとも１つの開放位置と１つの閉鎖位置との間で選択的に制御される。
【０１３２】
好ましくは、滅菌装置１０は、特に調整手段のすべてを制御するための制御ユニットを備える。
【０１３３】
開放位置においては、調整手段３２は、パイプ２４内における上流側から下流側への圧縮空気の流通を可能にし、閉鎖位置においては、調整手段３２は、パイプ２４内における前記空気の流通を遮断する。
【０１３４】
好ましくは、第１の回路Ｃ１は、前記パイプ２４内で流通する圧縮空気の圧力を測定するように配置された、圧力測定手段３４を備える。
【０１３５】
有利には、第１の回路Ｃ１は、パイプ２４内で選択的に流通される圧縮空気を加熱するための、加熱手段３６を備える。
【０１３６】
圧力測定手段３４は好ましくは、調整手段３２から下流側で加熱手段３６から上流側に配置されている。
【０１３７】
圧力測定手段３４は例えば、特に第１の回路Ｃ１のパイプ２４内で流通している空気の動圧のモニタリングを可能にする、圧力プローブによって形成される。
【０１３８】
加熱手段３６は例えば、パイプ２４内で流通している圧縮空気を所与の目標温度（Ｔｃ）に加熱することができる、空気加熱装置を少なくとも備える。
【０１３９】
空気を加熱するための手段３６は、下流側で流通する空気の温度が少なくとも前記目標温度（Ｔｃ）であるように、選択的に制御される。
【０１４０】
好ましくは、所与の目標温度（Ｔｃ）は、概ね２２０℃の温度である。このような目標温度値（Ｔｃ）は、熱い空気が前記ろ過手段１２と接触したときに、約１１０℃の温度を有する熱い空気を得ることを可能にする。
【０１４１】
このような熱い空気の温度、有利には１２０℃未満の温度は、熱い空気がろ過手段１２と接触したときにろ過手段１２を悪化させないようにすることを可能にする。
【０１４２】
加熱手段３６を選択的に制御するため、および熱い空気の温度をモニタリングするために、滅菌装置１０の回路Ｃ１は、温度測定手段３８を備える。
【０１４３】
温度測定手段３８は、前記少なくとも１個の加熱装置によって形成される加熱手段３６を通過した後に、パイプ２４内で流通する熱い空気の温度を測定することができる。
【０１４４】
好ましくは、空気の温度を測定するための手段３８は、前記加熱手段３６から下流側に配置されている。
【０１４５】
滅菌装置１０の回路Ｃ１は、上流側端部がパイプ２４に接続されており、他の下流側端部が、滅菌装置１０の外部に排出するための手段４２に接続された、パージパイプ４０を備える。
【０１４６】
排出手段４２は、特に空気の温度が前記目標温度（Ｔｃ）に合致していない場合、熱いか否かにかかわらず空気を収集するように設計されている。
【０１４７】
好ましくは、パージパイプ４０は、空気を加熱するための手段３６から下流側にあるパイプ２４に接続されている。
【０１４８】
調整手段４４は、パージパイプ４０内に配置されており、パイプ２４の側管であるパイプ４０内における空気の流通を選択的に確保するように制御される。
【０１４９】
好ましくは、調整手段４４は、少なくとも１個のソレノイドバルブによって形成される。
【０１５０】
調整手段４４は、前記制御ユニット（図示なし）により、少なくとも１つの開放位置と１つの閉鎖位置との間で選択的に制御される。
【０１５１】
開放位置においては、調整手段４４は、パージパイプ４０内における上流側から下流側への圧縮空気の流通を可能にし、閉鎖位置においては、調整手段４４は、パージパイプ４０内における前記空気の流通を遮断する。
【０１５２】
第１の回路Ｃ１のパイプ２４は、圧縮空気供給源２６に対して下流側または反対側にある少なくとも１個のエバポレータ４６を別の端部に備える。
【０１５３】
好ましくは、接続部４８は、パイプ２４と、前記少なくとも１個のエバポレータ４６の入口との間に挿入されている。
【０１５４】
例えば「Ｔ」を反転した形状である接続部４８は、過酸化水素を注入するための手段５０が入り込んでいる、内側メーンパイプを備える。
【０１５５】
有利には、過酸化水素によって形成される滅菌剤を注入するための手段５０は、非常に微細な液滴によって形成されたミストの形態の滅菌剤をスプレーすることができる。
【０１５６】
滅菌装置１０の第２の回路Ｃ２から過酸化水素を注入するためのパイプ５２は、当該接続部を通過する熱い空気中に液体状態の過酸化水素を注入するための接続部４８のパイプに入り込んでいる、前記注入手段５０に接続されている。
【０１５７】
エバポレータ４６は、空洞５４を備え、空洞５４の内部は、第１の回路Ｃ１のパイプ２４から得られた熱い空気と、第２の回路Ｃ２の注入パイプ５２から得られた液体状態の過酸化水素との混合物から滅菌剤蒸気を生成するための加熱手段５６が少なくとも配置されている。
【０１５８】
温度測定手段５８は、空洞５４の内部に存在し、熱い空気および過酸化水素蒸気からなる、混合物の温度を測定するためにエバポレータ４６と組み合わせられており、この混合物は有利には、用量により、接続部４８の領域中に逐次導入される。
【０１５９】
エバポレータ４６は、パイプ６０によってブロー成形回路１４のパイプ１６に接続されている。パイプ６０の上流側端部は、エバポレータ４６の空洞５４と連通しており、パイプ６０の他方の下流側端部がパイプ１６に接続している。
【０１６０】
滅菌装置１０のパイプ６０は、調整手段２０とろ過手段１２との間にあるパイプ１６に接続している。
【０１６１】
調整手段６２は、前記ろ過手段１２の滅菌のためにブロー成形回路１４、より厳密にはパイプ１６に導入されるように設計された、エバポレータ４６によって生成された熱い空気および過酸化水素蒸気からなる気体混合物の、前記パイプ６０内における流通を選択的に制御するように、パイプ６０内に配置されている。
【０１６２】
好ましくは、調整手段６２は、ソレノイドバルブ等の少なくとも１個のバルブによって形成される。調整手段６２は、制御ユニット（図示なし）により、パイプ６０内における混合物の流通を可能にする少なくとも１つの開放位置と、パイプ６０内における流通を遮断する１つの閉鎖位置との間で選択的に制御される。
【０１６３】
温度測定手段５８は特に、少なくとも加熱手段５６および／または調整手段６２を制御するために使用される。
【０１６４】
排出パイプ６４は、ろ過手段１２の滅菌後の混合物からの排出物を、下水管等の収集手段６６に向かって排出するために設置されている。
【０１６５】
排出パイプ６４は、ろ過手段１２と調整手段２２との間にあるパイプ１６に接続された端部と、下流側において前記収集手段６６と連通した別の端部とを備える。
【０１６６】
ソレノイドバルブ等の調整手段６８は、前記パイプ６４内における流通を制御するために、排出パイプ６４内に配置されている。
【０１６７】
調整手段６８は、制御ユニット（図示なし）により、排出パイプ６４内における流通を可能にする少なくとも１つの開放位置と、前記パイプ６４内における流通を遮断する閉鎖位置との間で選択的に制御される。
【０１６８】
調整手段６８が開放位置にある場合、パイプ６０によってパイプ１６に導入された混合物の一部は、ろ過手段１２を滅菌した後に、排出パイプ６４を介して収集手段６６に向かって排出される。
【０１６９】
温度測定手段６５は、排出パイプ６４内の温度を測定するために配置されている。
【０１７０】
好ましくは、温度測定手段６５は、熱電対からなる。
【０１７１】
有利には、第１の温度測定手段６５は、ろ過手段１２の滅菌中における温度のモニタリングを実行しおよび制御ユニットに測定値を戻すことを可能にする。
【０１７２】
好ましくは、処理手段７０は、収集手段６６から上流側にある排出パイプ６４に挿入されている。
【０１７３】
このような処理手段７０は、例えば水を含み、特に排出パイプ６４内を流通している排出物中に気体状態で存在する過酸化水素を処理するために設計されている。
【０１７４】
過酸化水素濃度を測定するための手段７２は有利には、特に収集手段６６に向かって排出する前にモニタリングを実施するように、処理手段７０と組み合わせられている。
【０１７５】
過酸化水素濃度を測定するための手段７２は有利には、滅菌サイクルが終了したときに、測定された過酸化水素の量が、過酸化水素のすべてが適切に蒸発したことを意味するしきい値より少ないことを確実にすべく確認するために、使用される。
【０１７６】
滅菌装置１０の第２の回路Ｃ２は、ろ過手段１２を滅菌するために使用される過酸化水素を送達するように設計されている。
【０１７７】
接続部４８および注入手段５０を介して滅菌装置１０の熱い空気の第１の回路Ｃ１に接続された、過酸化水素を注入するためのパイプ５２は、調整手段７４を備える。
【０１７８】
ソレノイドバルブ等の調整手段７４は、注入パイプ５２内に配置されており、制御ユニット（図示なし）により、パイプ５２内における流通を可能にする少なくとも１つの開放位置と、パイプ５２内における流通を遮断する閉鎖位置との間で選択的に制御される。
【０１７９】
過酸化水素の「指定量」という表現は、滅菌サイクルのためのろ過手段を滅菌するために必要な過酸化水素の量を意味する。
【０１８０】
さらに、「所与の用量」および「指定用量」という表現は、フィルター滅菌サイクルを実施するために必要な過酸化水素の指定量のうちのある割合であると理解されている。
【０１８１】
したがって、所与の用量の合計は、ろ過手段滅菌サイクルを実施するために必要な過酸化水素の指定量に相当する。
【０１８２】
第２の回路Ｃ２は、指定容量を有する少なくとも１個の貯蔵器７６を備える。貯蔵器７６は、指定量の液体状態の過酸化水素を充填されるように設計されている。
【０１８３】
好ましくは、貯蔵器７６は、供給パイプ７８によって、過酸化水素供給源８０に接続されている。過酸化水素は、例えば、概ね２５％の濃度を有する。
【０１８４】
好ましくは、パイプ７８は、特にメンテナンス介入を可能にするような方法で供給源８０からパイプ７８を隔離することが可能であり、したがって、第２の回路Ｃ２を隔離することが可能である、少なくとも１個のバルブ７９を備える。
【０１８５】
有利には、パイプ７８は、貯蔵器７６から上流側において、過酸化水素をろ過するためのろ過手段８２を備える。
【０１８６】
第２の回路Ｃ２は、前記パイプ７８内における過酸化水素の流通を制御するために、供給パイプ７８内において、供給源８０と貯蔵器７６との間に配置された調整手段８４を備える。
【０１８７】
好ましくは、調整手段８４は、ろ過手段８２から下流側で貯蔵器７６から上流側に配置されており、より厳密には、パイプ７８への注入パイプ５２の接続部から上流側に配置されている。
【０１８８】
調整手段８４は、例えば、２／２方型ソレノイドバルブ等のソレノイドバルブによって形成される。
【０１８９】
調整手段８４は、制御ユニット（図示なし）により、パイプ７８内における流通を可能にする少なくとも１つの開放位置と、パイプ７８内における流通を遮断する閉鎖位置との間で選択的に制御される。
【０１９０】
調整手段８４（およびバルブ７９）が開放位置を占めている場合、液体状態の過酸化水素は、有利にはろ過手段８２によってろ過されることによって、供給源８０から貯蔵器７６に流れる。
【０１９１】
貯蔵器７６は、例えば、ろ過手段１２の滅菌を可能にする滅菌サイクルを実施するために必要な過酸化水素の量に相当する、指定容量を有する。
【０１９２】
当然ながら、貯蔵器７６の容量は、用途に応じて変化し得るが、より大きいこともあり得、１回の滅菌サイクルの実施のために必要な量に相当しないこともあり得る。
【０１９３】
第２の回路Ｃ２は、貯蔵器７６の充填またはパージを制御するための、プローブ等のレベル測定手段８６、８８を備える。
【０１９４】
レベル測定手段は、貯蔵器７６内の低レベルを測定するための少なくとも第１の測定手段８６と、貯蔵器７６内の高レベルを測定するための第２の測定手段８８とを備える。
【０１９５】
有利には、前記測定手段８６および８８は、特に、貯蔵器７６が所望の量の過酸化水素を収容したときに充填を遮断するように調整手段８４の閉鎖を制御するための、制御ユニット（図示なし）に接続されている。
【０１９６】
有利には、貯蔵器７６は、一方の端部が圧縮空気の第１の回路Ｃ１に対して上流側に接続されており、他方の下流側端部が貯蔵器７６に接続された、パイプ９０によって加圧されることが可能である。
【０１９７】
好ましくは、パイプ９０は、圧力調整手段３０から下流側で調整手段３２から上流側において、第１の回路Ｃ１のパイプ２４に接続されている。
【０１９８】
調整手段９２は、貯蔵器７６の加圧を制御するために、パイプ９０内に配置されている。
【０１９９】
調整手段９２は、例えば、３／２方型ソレノイドバルブ等のソレノイドバルブからなる。
【０２００】
調整手段９２は、制御ユニット（図示なし）により、パイプ９０内における流通を可能にする少なくとも１つの開放位置と、パイプ９０内における流通を遮断する閉鎖位置との間で選択的に制御される。
【０２０１】
調整手段９２の開放位置において、第１の回路Ｃ１から得られた圧縮空気は、貯蔵器７６内に存在する液体状の過酸化水素に、例えば概ね７ｂａｒの圧力または大気圧より高い圧力を加えるような方法で、貯蔵器７６の内部に与えられる。
【０２０２】
加圧は、貯蔵器７６の外部への、特に注入パイプ５２に向かうような、過酸化水素の良好な流れを確保する。
【０２０３】
調整手段９２は、特に貯蔵器７６への滅菌剤の充填中において、外気に触れることを可能にする換気機能を確保し、このとき、貯蔵器７６の加圧は、充填後に実施される。
【０２０４】
好ましくは、過酸化水素の第２の回路Ｃ２は、特に前記貯蔵器７６の内部の圧力およびこの圧力の変化を測定するための、貯蔵器７６と組み合わせられた圧力測定手段９４を備える。
【０２０５】
圧力測定手段９４は、例えば、制御ユニットに接続された少なくとも１個の圧力センサーを備える。
【０２０６】
有利には、圧力測定手段９４は、圧力の変化をモニタリングして、注入パイプ５２によって注入された過酸化水素の量を測定することができる。
【０２０７】
滅菌装置１０の第２の回路Ｃ２は、上流側端部が貯蔵器７６の下側部分に接続されており、他方の下流側端部が滅菌装置１０の外部への排出手段９７に接続された、パージパイプ９６を備える。
【０２０８】
排出手段９７は、液体状態の過酸化水素からなる滅菌剤を収集するように設計されている。
【０２０９】
好ましくは、パージパイプ９６は、貯蔵器７６の下側部分に接続されている。
【０２１０】
調整手段９８は、パージパイプ９６内に配置されており、排出手段９７に向かって、選択的に過酸化水素の流通を確保するように制御される。
【０２１１】
好ましくは、調整手段９８は、少なくとも１個のソレノイドバルブによって形成される。調整手段９８は、前記制御ユニット（図示なし）により、少なくとも１つの開放位置と１つの閉鎖位置との間で選択的に制御される。
【０２１２】
開放位置において、調整手段９８は、貯蔵器７６から排出手段９７に向かうように、パイプ９６内における過酸化水素の流通を可能にする。
【０２１３】
閉鎖位置において、調整手段９８は、パージパイプ９６内における過酸化水素の流通を遮断する。
【０２１４】
第２の回路Ｃ２は、有利にはろ過手段８２から下流側にある供給パイプ７８に接続された、パイプ１００を備える。
【０２１５】
パイプ１００は、滅菌装置１０を備える容器製造設備内で使用される少なくとも１個の他の滅菌装置に、液体状態の過酸化水素を供給するように意図されている。
【０２１６】
好ましくは、パイプ１００は、パイプ１００内における過酸化水素の流通を遮断することができる、少なくとも１個のバルブ１０１を備える。
【０２１７】
有利には、前記他の滅菌装置は、熱可塑性材料製の容器の製造という目的で、プリフォームの内側を少なくとも滅菌するために使用されるものである。
【０２１８】
先ほど説明された実施形態による滅菌装置１０の使用、より特定すると、このような滅菌装置１０による本発明による滅菌方法の実施が、次に説明される。
【０２１９】
上述に示されたように、吹込み空気のろ過手段１２の滅菌を開始するために、設備または最低でも成形機（または「ブロワー」）は、容器の製造を中断し、容器製造動作モードから介入動作モードへの切替えによって動作モードを変更するように、調整される。
【０２２０】
滅菌装置１０はやはり、ろ過手段１２の滅菌を開始するようにスリープ状態から使用状態に切り替わるように、選択的に調整される。
【０２２１】
設備が容器製造動作モードである場合、滅菌装置１０は、実際には、スリープ状態である。
【０２２２】
このとき、調整手段２０、２２および４４は、それぞれ開放位置にあり、滅菌装置１０に関する他の調整手段は、閉鎖位置にある。
【０２２３】
好ましくは、ろ過手段１２を滅菌するための方法は、滅菌装置１０の状態の変更後に開始し、ろ過手段１２の滅菌開始前に１つまたは複数の準備ステップを実施するものである、予備段階を含む。
【０２２４】
予備段階は、特にろ過手段１２の滅菌を可能にするようにろ過手段１２を隔離するための、少なくとも１つのステップを含む。
【０２２５】
隔離ステップは、特に前記ろ過手段１２から下流側に配置された吹込み空気回路１４に対して、滅菌すべき空気型ろ過手段１２を隔離することができる。
【０２２６】
有利には、滅菌は、ろ過手段１２の分解なしで、滅菌装置１０によって自動的に、「オンライン」で実施される。
【０２２７】
滅菌装置１０を調整するための手段２０、２２、４４のうちのいくつかがソレノイドバルブからなる場合、隔離ステップは、滅菌装置１０を調整するための手段２０、２２、４４のうちのいくつかを、開放位置から閉鎖位置になるように制御して、前記ろ過手段１２を隔離するものである。
【０２２８】
一方として、滅菌方法において使用される熱い空気を得ることができ、他方として、過酸化水素蒸気とを得ることができるようにすべく、前記加熱装置を少なくとも備える空気加熱手段３６と、エバポレータ４６を加熱するための手段５６とにはそれぞれ、電圧をかけた状態で給電される。
【０２２９】
供給源２６によって送達された圧縮空気は、第１の空気回路Ｃ１に導入される。
【０２３０】
有利には、空気は、特に第１の空気回路Ｃ１の前記加熱手段３６によって加熱される前に、１つまたは複数の処理ステップを受ける。
【０２３１】
空気は、予備段階中において、望ましい温度に到達するまで前記加熱手段３６によって加熱されるが、本方法によるろ過手段１２の滅菌中にも加熱される。
【０２３２】
好ましくは、本方法は、圧縮空気供給源２６によって送達された空気をろ過するものである、空気をろ過するための少なくとも１つのステップを含む。
【０２３３】
滅菌装置１０において、概ね７ｂａｒの圧力で空気を送達する低圧圧縮空気流通網等の供給源２６によって供給された圧縮空気は、ろ過手段２８によってろ過される。
【０２３４】
好ましくは、本方法は、前記圧縮空気供給源２６によって送達される空気の圧力を調整して、一定の空気流量をもたらすような方法で、前記供給源２６から第１の回路Ｃ１内に指定圧力を得るものである、少なくとも１つの圧力調整ステップを含む。
【０２３５】
好ましくは、前記圧力調整ステップは、圧縮空気をろ過するためのステップの後に、ろ過手段２８から下流側に配置された第１の回路Ｃ１の圧力調整手段３０を使用して実施される。
【０２３６】
有利には、本方法は、空気圧が前記指定圧力に等しいかどうかを制御するように、前記圧力調整手段３０から下流側において空気圧を測定するものである、空気圧を測定するための少なくとも１つのステップを含む。
【０２３７】
好ましくは、本方法の予備段階は、少なくとも指定された目標温度（Ｔｃ）に到達するまで、圧縮空気供給源２６によって送達された空気を加熱するものである、空気を阻止するためのステップを含む。
【０２３８】
上述に示されたように、加熱されるように意図された空気は、有利には、事前にろ過および／または圧力調整される。
【０２３９】
空気を阻止するためのステップはやはり、少なくとも指定された目標温度（Ｔｃ）に到達するまで、エバポレータ４６の空洞５４内の空気を加熱するものである。
【０２４０】
空気の温度は有利には、前記空気の温度が少なくとも前記指定された目標温度（Ｔｃ）に等しいかどうかを判定するための、測定手段３８および測定手段５８によって測定される。
【０２４１】
好ましくは、指定された目標温度（Ｔｃ）は、加熱手段３６と加熱手段５６とに関して、同一である。
【０２４２】
非限定的な例として、目標温度（Ｔｃ）の値は、約２２０℃である。
【０２４３】
本方法は、少なくとも前記予備加熱段階中に実施される、空気の温度を制御するための少なくとも１つのステップを含む。続いて、空気の温度を制御するためのステップは有利には、滅菌方法の全体にわたって継続される。
【０２４４】
空気の温度を制御するためのステップは少なくとも、加熱されている空気の温度を測定して、空気の温度が少なくとも前記目標温度（Ｔｃ）に等しくなるように制御するものである。
【０２４５】
本実施形態による滅菌装置１０において、空気の温度を制御するための前記ステップは、加熱手段３６と組み合わせられた温度測定手段３８および／または前記少なくとも１個のエバポレータ４６の前記加熱手段５６と組み合わせられた温度測定手段５８によって、空気の温度を測定するものである。
【０２４６】
予備加熱ステップ中に、滅菌装置１０を調整するための手段３２、６２および６８は開放位置にあり、調整手段４４は閉鎖位置にある。
【０２４７】
本方法は、特に第１の回路Ｃ１内でろ過手段１２から上流側おける凝縮を防止するという目的で、第１の回路Ｃ１内で熱い空気を流通させるためのステップを含む。
【０２４８】
第１の回路Ｃ１内における熱い空気の流通ステップは、目標温度値、特に前記目標温度（Ｔｃ）により素早く到達することを可能にする。
【０２４９】
好ましくは、少なくとも前記目標温度（Ｔｃ）に等しい温度を有する熱い空気の流通は、第１の回路Ｃ１およびろ過手段１２の中を通るように、指定の期間、例えば約１０分にわたって維持されている。
【０２５０】
上述に示されたように、空気の加熱は、予備加熱ステップ後に、滅菌のために使用されるように意図された空気を前記目標温度（Ｔｃ）において継続的に加熱するものである加熱ステップに従って継続する。
【０２５１】
前記少なくとも１個の加熱装置を備える加熱手段３６は、前記熱い空気を得るように給電され、前記少なくとも１個のエバポレータ４６の前記加熱手段５６は、過酸化水素蒸気を得るように同様に給電される。
【０２５２】
滅菌方法の予備段階は、過酸化水素（Ｈ２Ｏ２）の第２の回路Ｃ２を調製するためのステップをさらに含む。
【０２５３】
好ましくは、予備段階は、第２の回路Ｃ２、特に貯蔵器７６のすべてまたは一部をパージするものである、少なくとも１つの抜取ステップを含む。
【０２５４】
抜取ステップは、少なくとも、調整手段９２および９８の開放を制御して、貯蔵器７６をパージするものである。
【０２５５】
調整手段９８の開放は、過酸化水素が、パージパイプ９６の中を通って貯蔵器７６から排出手段９７まで流通させることを可能にする。
【０２５６】
調整手段９２の開放は、貯蔵器７６を（大気圧の）外気に触れさせることを可能にする。任意選択により第２の回路Ｃ２、最も特定すると貯蔵器７６の底部に存在する過酸化水素は後で、パージパイプ９６を介して排出される可能性がある。
【０２５７】
好ましくは、抜取ステップは、指定された長さの時間、例えば、少なくとも５秒の期間を経てから、貯蔵器７６と組み合わされた状態で制御ユニットに接続された低レベル測定手段８６によって測定されなくなった後（または、情報の喪失の後）に中断される。
【０２５８】
抜取ステップは、貯蔵器７６のパージに加えて、第２の回路Ｃ２の過酸化水素供給パイプ７８のパージも含む。
【０２５９】
調整手段８４は、開放位置において、供給パイプ７８内に存在する過酸化水素が貯蔵器７６に向かって流れることができるように制御されるが、このとき、調整手段９８も同様に、排出手段９７に向かうような開放位置にある。
【０２６０】
調整手段９２および９８は、供給パイプ７８のパージ中に、開放位置に保持されている。
【０２６１】
有利には、第２の回路Ｃ２内に存在する過酸化水素は、抜取ステップにより、滅菌剤の特性が変更されないことを確実にし得るように完全にパージされる。
【０２６２】
抜取ステップが実施されたらすぐに、第２の回路Ｃ２の貯蔵器７６の充填は、前記液体状態の過酸化水素を送達するように第２の回路Ｃ２が動作できるように、「新鮮な」過酸化水素によって開始される。
【０２６３】
抜取ステップと同様に充填ステップも、ろ過手段１２の滅菌における前記予備段階中に実施される。
【０２６４】
本方法は、前記少なくとも１個の貯蔵器７６に、液体状態の過酸化水素からなる滅菌剤を充填するものである、充填ステップを含む。
【０２６５】
貯蔵器７６は、好ましくはろ過手段１２の滅菌サイクルを実施するために必要な量に相当する指定量の貯蔵をできる容量を有する、過酸化水素を貯蔵するための手段を構成する。
【０２６６】
充填を開始するために、パージパイプ９６内に配置された調整手段９８の閉鎖が制御される。
【０２６７】
滅菌装置１０に関する本実施形態において、制御ユニットは、開放位置から閉鎖位置になるように、調整手段９８を構成するソレノイドバルブを調整する。
【０２６８】
貯蔵器７６の充填は、過酸化水素供給源８０から供給パイプ７８を介して実施される。
【０２６９】
充填中において、調整手段８４および９２は開放位置にあり、調整手段７４は閉鎖位置にある。
【０２７０】
充填は、貯蔵器７６と組み合わせられた高レベル測定手段８８が過酸化水素を検出するまで、継続する。
【０２７１】
充填ステップが終了したときに、貯蔵器７６は、本方法によって前記ろ過手段１２を滅菌するための指定量の液体状過酸化水素を少なくとも収容する。
【０２７２】
次いで、予備段階が完了され、ろ過手段１２の滅菌段階自体が始まり得る。
【０２７３】
本発明によれば、気体型ろ過手段１２の滅菌方法は、少なくとも、
予備段階であって、
特に滅菌すべきろ過手段１２から下流側に配置された空気吹込み回路に対して、ろ過手段１２を隔離するためのステップと、
少なくとも指定された目標温度Ｔｃに到達するまで、圧縮空気供給源によって送達された空気を加熱するものである、滅菌方法において使用される空気を予備加熱するためのステップと、を含む予備段階と、
予備段階が完了したら、次いで、滅菌段階が開始できる滅菌ステップであって、
気体型ろ過手段１２中を通るように熱い空気および指定量の過酸化水素蒸気を含む気体混合物を流通させるものである、施用ステップであって、前記指定量の過酸化水素蒸気が、連続する２回の注入の間に所与の時間間隔（ｔ）を空けて、所与の用量の液体状態の過酸化水素を熱い空気中に逐次注入することによって得られる、施用ステップと、
前記時間間隔（ｔ）の最中に、前記ろ過手段の中を通るように熱い空気の流通を維持して、前記施用ステップ中に前記ろ過手段に蓄積された過酸化水素のすべてまたは一部を蒸発により排除するものである、滅菌ステップと、
を含む。
【０２７４】
ろ過手段を滅菌するためのこの方法において、滅菌ステップのときと同じ熱い空気が、施用ステップにおいても使用される。
【０２７５】
言い換えると、フィルター滅菌方法の実施のための予備段階を実施した後、前記方法は、滅菌すべき少なくとも１個のフィルターを通過する熱い空気の流れを連続的に施用するステップと、過酸化水素をフィルターに施用するという目的で、熱い空気の流れ中に所与の用量の過酸化水素を注入するためのステップとを含む。この施用ステップには、熱い空気の流れが、先行した施用ステップ中に注入されたフィルターの領域中にある過酸化水素を蒸発させる時間を与えるものである、滅菌ステップが後続する。これらの２つのステップは、ろ過手段の滅菌サイクルを実施するために過酸化水素の指定量に到達するように、必要な回数繰り返される。
【０２７６】
本発明によれば、気体型ろ過手段１２を滅菌するための方法は、
気体型ろ過手段１２の中を通るように熱い空気および指定量の過酸化水素蒸気を含む気体混合物を流通させるものである、施用ステップであって、前記指定量の過酸化水素蒸気が、連続する２回の注入の間に所与の時間間隔（ｔ）を空けて、所与の用量の液体状態の過酸化水素を熱い空気中に逐次注入することによって得られる、施用ステップと、
少なくとも前記時間間隔（ｔ）の最中に、前記ろ過手段１２の中を通るように熱い空気を流通させて、前記施用ステップ中に前記ろ過手段１２に蓄積された過酸化水素のすべてまたは一部を蒸発により排除するものである、滅菌ステップと、
を少なくとも含む。
【０２７７】
滅菌方法は、蒸気状態の過酸化水素を含有する気体混合物をろ過手段１２に施用するためのステップを最初に実施するものである。
【０２７８】
過酸化水素によって形成された滅菌剤の施用は、ろ過手段１２の中を通るように、熱い空気および指定量のうちのある割合の過酸化水素蒸気からなる気体混合物を流通させることによって、実施される。
【０２７９】
重要な一特徴によれば、気体混合物は、所与の用量の液体状態の過酸化水素を熱い空気中に逐次注入することによって生じた、指定量のうちのある割合の過酸化水素蒸気を含む。
【０２８０】
液体状態の過酸化水素の注入は、連続する２回の注入の間に所与の時間間隔（ｔ）を空けて、逐次実施される。
【０２８１】
前記気体混合物を得るように、本方法は、過酸化水素の気化のための少なくとも１つのステップを含む。
【０２８２】
気化ステップは、エバポレータ４６によって形成された蒸発手段中で、前記所与の用量の液体状態の過酸化水素を気化させて、施用ステップ中に使用される前記気体混合物を得るものである。
【０２８３】
有利には、気化は、施用ステップ中に使用される前記気体混合物を得るように、前記所与の用量の液体状態の過酸化水素を、熱い空気の連続流（または「脈管」）中に注入し、次いで、全用量をエバポレータ４６に導入することによって、達成される。
【０２８４】
本実施形態による滅菌装置１０を用いた場合、気化ステップ中における前記所与の用量の過酸化水素の注入は、所与の期間の時間にわたって調整手段７４の開放を選択的に制御することによって、達成される。
【０２８５】
前記所与の期間の時間にわたる調整手段７４の開放は、注入手段５０により、注入パイプ５２内にある指定流量の過酸化水素が、所望される前記所与の用量を、接続部４８の中を通って継続的に流通している熱い空気中に注入されることを可能にする。
【０２８６】
滅菌装置１０において、逐次注入は、所与の用量の液体状態の過酸化水素の連続する２回の注入の間に、前記所与の時間間隔（ｔ）にわたって前記調整手段７４の閉鎖を選択的に制御することによって、達成される。
【０２８７】
非限定的な例として、全持続期間が３０秒である一連の操作において、調整手段７４は、前記所与の用量を熱い空気中に注入するために、１秒の期間の時間にわたって開放位置に制御され、次いで、２９秒の時間間隔にわたって閉鎖位置に制御される。
【０２８８】
前記時間間隔（ｔ）の最中において、過酸化水素は、もはや、注入手段５０を介して注入されず、第１の回路Ｃ１のパイプ２４によって送達された熱い空気のみが、エバポレータ４６からパイプ６０およびろ過手段１２の中を通って流通し続ける。
【０２８９】
少なくともこの時間間隔（ｔ）にわたって、前記滅菌ステップが実施される。実際には、滅菌ステップは、前記ろ過手段１２の中を通るように熱い空気を流通させて、前記施用ステップ中に事前に蓄積された過酸化水素のすべてまたは一部を蒸発により排除するものである。
【０２９０】
有利には、過酸化水素は、前記施用ステップ中において、凝縮によりろ過手段１２に蓄積される。
【０２９１】
連続的な注入との比較によれば、所与の用量の過酸化水素の逐次注入は、指定量のうちのある割合の過酸化水素をろ過手段１２に蓄積することを可能にする。
【０２９２】
過酸化水素の前記所与の用量は特に、ろ過手段１２を飽和または閉塞させないような方法で決定される。
【０２９３】
逐次注入により、ろ過手段１２内で凝縮した前記指定量のうちのある割合の過酸化水素蒸気は、前記時間間隔（ｔ）の最中に熱い空気によって熱活性化され、蒸発する可能性がある。
【０２９４】
ろ過装置１０において、所与の用量の液体状態の過酸化水素が、熱い空気によってエバポレータ４６の空洞５４に導入され、次いで、空洞５４において、過酸化水素が、加熱手段５６によって気化される。
【０２９５】
空洞５４から生じた気体混合物は、熱い空気および指定量のうちのある割合の過酸化水素蒸気からなり、この気体混合物は、パイプ６０により、滅菌すべきろ過手段１２に至るように後続の経路が定められている。
【０２９６】
調整手段６２は、エバポレータ４６からろ過手段１２への前記気体混合物の流通を可能にする、開放位置にある。
【０２９７】
次いで、前記ろ過手段１２を通過した気体混合物の一部が、排出パイプ６４により、収集手段６６の方向に向かって排出され、このとき、調整手段６８は、開放位置にある。
【０２９８】
時間間隔（ｔ）の値に基づいて、施用ステップに続く滅菌ステップは、次の所与の用量の注入によって新たな施用ステップを開始する前に、過酸化水素凝縮物のすべてまたは一部を熱い空気と一緒に排除することができる。
【０２９９】
時間間隔（ｔ）の値が短すぎて、特に過酸化水素の完全な排除を確保できない場合において、このとき、滅菌方法は有利には、指定期間（Ｄ）中に前記ろ過手段１２の中を通るように熱い空気のみを流通させるものである、いわゆる追加の滅菌ステップを含む。
【０３００】
追加の滅菌ステップは、前記順次注入された用量の形態で、所望の量の過酸化水素を施用し終えたらすぐに実施されるが、この所望の量は、例えば、貯蔵器７６の容量に相当する。
【０３０１】
非限定的な例として、追加の滅菌ステップは、１５〜４０分の間、好ましくは２５分の期間Ｄにわたって、ろ過手段１２の中を通るように熱い空気のみを流通させて、過酸化水素の完全な蒸発を確実にするものである。
【０３０２】
したがって、本方法によるろ過手段１２の「化学的な」滅菌の少なくとも一部は、時間間隔（ｔ）にわたって実施され、必要に応じて、このような追加の滅菌ステップ中に完了可能である。
【０３０３】
パイプ６０を介してもたらされた気体混合物が、より低い温度のろ過手段１２と接触すると、次いで、蒸気状態の過酸化水素が、凝縮によりろ過手段１２に蓄積される。
【０３０４】
施用ステップが終了したときに、ろ過手段１２は少なくとも表面に、気体混合物中に含有される過酸化水素蒸気が前記ろ過手段１２と接触したときに起きた蒸気状態から液体状態への状態変化から生じた、過酸化水素凝縮物を含む。
【０３０５】
前記所与の用量の過酸化水素が注入され、エバポレータ４６内で気化されたらすぐに、パイプ２４は、目標温度（Ｔｃ）の熱い空気を送達し続ける。
【０３０６】
この熱い空気は、エバポレータ４６を通過し、ろ過手段１２と接触するまで滅菌装置１０内の経路を進行する。
【０３０７】
このとき、ろ過手段１２と接触した熱い空気は例えば、前記過酸化水素凝縮物を徐々に蒸発させる、１００℃〜１２０℃の間の温度を有する。
【０３０８】
熱い空気は、過酸化水素の化学結合に作用することによって、過酸化水素（Ｈ２Ｏ２）を熱活性化する。前記結合の切断により、熱い空気は、微生物を殺滅し、所望の滅菌の達成を可能にする、非常に活性なフリーラジカル（ＯＨ）を出現させる。
【０３０９】
熱い空気は、過酸化水素凝縮物中に存在する水を徐々に蒸発させ、これにより、過酸化水素濃度を増大させ、このとき、滅菌効果を増大させる。
【０３１０】
一旦蒸発したら、気体状態の過酸化水素は、ろ過手段１２の構造を変更することなく、ろ過手段１２を容易に通過する。
【０３１１】
有利には、本方法は、滅菌から得られた排出物、最も特定すると気体状態の過酸化水素を処理するものである、処理ステップを含む。
【０３１２】
これは、滅菌装置１０が、排出パイプ６４内に配置された処理手段７０を、収集手段６６から上流側に備える理由である。
【０３１３】
本方法による滅菌サイクルは、前記施用および滅菌ステップからなる一連の操作を「ｎ」回の回数順次繰り返すものである。
【０３１４】
滅菌サイクルの一連の操作中において、調整手段７４は、本例においては注入手段５０によって前記指定用量の過酸化水素を注入するために、調整手段７４を開放することによって、制御される。
【０３１５】
次いで、施用ステップが上述のように実施される。
【０３１６】
次いで、調整手段７４は、滅菌ステップを実施するように、時間間隔（ｔ）の最中に調整手段７４を閉じておくことによって、制御される。
【０３１７】
上述に示された値の例によれば、全持続期間が３０秒である一連の操作の間、調整手段７４は１秒開いており、次いで２９秒閉じられる。
【０３１８】
時間間隔（ｔ）が上述の例の場合と同様に比較的短い場合、次いで、追加の滅菌ステップが、例えば１５〜４０分の間、好ましくは２５分の持続期間Ｄにわたって実施される。
【０３１９】
しかしながら、後で明確になるように、前記追加の滅菌ステップは、任意選択によるものであり、有利には、過酸化水素の各注入の間に前記時間間隔（ｔ）を、例えば約５分に延長することによって排除され得る。
【０３２０】
有利には、前記施用ステップおよび滅菌ステップからできた一連の操作は、用途に応じて「ｎ」回の回数繰り返され、例えば、５〜２５回の間で繰り返される。
【０３２１】
一連の操作の繰返しは、時間間隔（ｔ）の値および前記追加の滅菌ステップの実施とは無関係である。
【０３２２】
好ましくは、貯蔵器７６の容量は、一連の操作の繰返しのために必要な過酸化水素の指定量に相当し、または少なくとも、「ｎ」回逐次注入された過酸化水素の前記所与の用量に相当する。
【０３２３】
滅菌サイクルの場合は次いで、最初に、１つのみの充填ステップが、滅菌装置１０の予備調製段階中に実施される。
【０３２４】
上述において説明されたように、前記所与の用量から得られた過酸化水素蒸気の指定量のうちのある割合を施用するための前記ステップと、熱い空気を施用するための前記ステップを交互に繰り返すことは有利には、ろ過手段１２を飽和させないことを可能にする。
【０３２５】
したがって、ある等しい量の過酸化水素蒸気に関して、得られるろ過手段１２の滅菌は、同等の量の過酸化水素蒸気を１回放出する場合に比べて、前記施用ステップおよび滅菌ステップによって形成された一連の操作を「ｎ」回順次実施することによって、より良好に達成される。
【０３２６】
本発明の滅菌方法による逐次注入の場合、熱い空気による蒸発によって過酸化水素を排除することは、１回のみで注入された同等の量の蒸発の達成に必要となるエネルギーに比較して、より少ないエネルギーを必要とする。
【０３２７】
逐次注入されるのではなく１回のみで注入された同等の量の過酸化水素を蒸発させるためには、実際には、熱い空気の温度を上昇させることが必要になり、これにより、必要なエネルギーの増大という結果をもたらすであろうし、または、熱い空気の流量を増大させることも必要になるであろう。
【０３２８】
しかしながら、このような滅菌方法において使用される熱い空気の温度および／または流量の増大は、事前に水蒸気を用いた場合と同様に、ろ過手段１２を劣化させる危険を冒すという結果をもたらすであろう。
【０３２９】
したがって、有利には、本発明による滅菌方法は、ろ過手段１２を効果的に滅菌することを可能にするのみならず、滅菌後に再び使用を可能にするようにろ過手段１２を悪化させないようにすることをも可能にする。
【０３３０】
ろ過手段１２を保存することによって、本発明による滅菌方法は有利には、コスト低減に寄与する耐用寿命の延長を可能にする。
【０３３１】
気体型ろ過手段の滅菌のための方法および装置は特に、熱いプリフォームから熱可塑性材料製の容器を製造するための設備において、吹込み空気型ろ過手段の滅菌のために使用されるように設計されている。
【図１】
2019506932.tif 000003
【国際調査報告】
2019506932.tif 000004
2019506932.tif 000005
2019506932.tif 000006
2019506932.tif 000007
2019506932.tif 000008
2019506932.tif 000009